(57)【要約】【課題】操作者の利便性が向上した映像音声出力装置を提供する。【解決手段】テレビ２００及び音声アンプ３００と伝送路５００を介して通信可能に接続される映像音声出力装置１００であって、映像音声出力装置１００は、伝送路５００と接続される通信部１０１と、音声アンプ３００を制御するための指示を操作者から取得する受信部１０３と、受信部１０３が当該指示を取得した場合に、テレビ２００が音声アンプ３００を制御する状態であるテレビ優先状態であるか否かを判定し、テレビ優先状態ではないと判定した場合に、当該指示に応じた制御信号を通信部１０１を介して音声アンプ３００へ送信する制御部１０２と、を備える。【選択図】図２
2018056727.tif 000002
【特許請求の範囲】
【請求項１】
テレビ及び音声アンプと伝送路を介して通信可能に接続される映像音声出力装置であって、
前記伝送路と接続される通信部と、
前記音声アンプを制御するための指示を操作者から取得する受信部と、
前記受信部が前記指示を取得した場合に、前記テレビが前記音声アンプを制御する状態であるテレビ優先状態であるか否かを判定し、前記テレビ優先状態ではないと判定した場合に、前記指示に応じた制御信号を前記通信部を介して前記音声アンプへ送信する制御部と、を備える
映像音声出力装置。
【請求項２】
前記制御部は、
前記テレビの電源がオンである場合には、前記テレビが前記テレビ優先状態であると判定し、
前記テレビの電源がオフである場合には、前記テレビが前記テレビ優先状態ではないと判定する
請求項１に記載の映像音声出力装置。
【請求項３】
前記制御部は、
前記テレビの電源をオフにする指示を操作者から前記受信部が取得した場合に、前記テレビが前記テレビ優先状態ではないと判定する
請求項１又は２に記載の映像音声出力装置。
【請求項４】
前記制御部は、
前記テレビの電源をオフにする指示を操作者から前記受信部が取得した場合に、前記テレビが前記テレビ優先状態ではないことを示す画像を生成し、前記画像を前記テレビに表示させる制御をする
請求項３に記載の映像音声出力装置。
【請求項５】
前記制御部は、
前記テレビの電源をオフにする指示を操作者から前記受信部が取得した場合に、操作者が指示を送信するために操作する操作卓が有するボタンであって、前記映像音声出力装置を制御するためのボタンが操作されたとき、前記ボタンに対応する指示に応じた制御信号を前記通信部を介して前記音声アンプへ送信する
請求項３又は４に記載の映像音声出力装置。
【請求項６】
前記制御信号は、前記音声アンプの電源のオンとオフとの切り替え、及び、前記音声アンプが出力する音量の変更の少なくとも一方の指示に応じた制御信号である
請求項１〜５のいずれか１項に記載の映像音声出力装置。
【発明の詳細な説明】
【技術分野】
【０００１】
本開示は、映像音声出力装置に関する。
【背景技術】
【０００２】
特許文献１は、映像音出力システム等を開示する。特許文献１に記載の映像音出力システムは、テレビ等である映像音出力装置と、当該映像音出力装置と外部接続される外部スピーカとから構成される。映像音出力装置は、音を出力する内部スピーカと、情報を保持するメモリと、テレビ外部から指示を受け付けるリモコン受信部とを備える。また、映像音出力装置は、リモコン受信部が受け付けた指示に基づいて、内部スピーカから音を出力させる第１の音出力形態を示す情報と、外部スピーカから音を出力させる第２の音出力形態を示す情報との何れか一つを、メモリに保持させるマイコンを備える。さらに、映像音出力装置は、メモリに保持されている音出力形態を示す情報を、テレビ外部のスピーカを動作させる／させないの制御をするアンプに出力する通信部を備える。
【０００３】
これにより、映像音出力装置のリモコンのみで、音の出力を映像音出力装置内部のスピーカと映像音出力装置外部のスピーカとの間で切り換えることができる。
【先行技術文献】
【特許文献】
【０００４】
【特許文献１】国際公開第２００７／０３７２０８号
【発明の概要】
【発明が解決しようとする課題】
【０００５】
本開示は、テレビ及び音声アンプと伝送路を介して通信可能に接続される映像音声出力装置であって、操作者の利便性が向上した映像音声出力装置を提供する。
【課題を解決するための手段】
【０００６】
本開示における映像音声出力装置は、テレビ及び音声アンプと伝送路を介して通信可能に接続される映像音声出力装置であって、伝送路と接続される通信部と、音声アンプを制御するための指示を操作者から取得する受信部と、受信部が当該指示を取得した場合に、テレビが音声アンプを制御する状態であるテレビ優先状態であるか否かを判定し、テレビ優先状態ではないと判定した場合に、当該指示に応じた制御信号を通信部を介して音声アンプへ送信する制御部と、を備える。
【発明の効果】
【０００７】
本開示における映像音声出力装置によれば、操作者の利便性が向上される。
【図面の簡単な説明】
【０００８】
【図１】本開示に係る映像音声出力装置を含むシステムの構成を示す図
【図２】実施の形態１における映像音声出力装置の構成を示すブロック図
【図３Ａ】実施の形態１におけるテレビの電源がオンの場合の操作卓からの指示の流れの一例を示す図
【図３Ｂ】実施の形態１におけるテレビの電源がオフの場合の操作卓からの指示の流れの一例を示す図
【図４】実施の形態１における映像音声出力装置が操作卓から指示を取得した場合の動作手順を示すフローチャート
【図５】実施の形態１における映像音声出力装置が操作卓から指示を取得した場合の動作手順を示すシーケンス図
【図６】実施の形態２における映像音声出力装置の構成を示すブロック図
【図７】実施の形態２における操作者が操作卓の機能の割り当てを変更する際に表示される画像の一例を示す図
【図８】実施の形態２における操作卓が有するボタンの機能の割り当ての一例を示す図
【図９】実施の形態２における映像音声出力装置の、操作者が操作する操作卓から取得した指示に応じた動作手順を示すフローチャート
【発明を実施するための形態】
【０００９】
（本開示の基礎となった知見）
まず、発明者らの着眼点が、下記に説明される。
【００１０】
テレビと、当該テレビと通信可能に接続されるレコーダと、当該テレビと通信可能に接続される音声アンプとから構成されるＡＶ（Ａｕｄｉｏ  Ｖｉｓｕａｌ）システムは従来から知られている。テレビは、テレビの内部に備えられるチューナで受信した番組の映像及び音声を出力したり、レコーダから受信した情報に応じて映像及び音声を出力したりする表示機器である。レコーダは、例えば、ＢＤ（Ｂｌｕ−ｒａｙ（登録商標）  Ｄｉｓｋ）等の記憶媒体に記憶された情報を再生する再生機器である。音声アンプは、テレビから取得した音声信号（電気信号）を増幅する増幅器である。
【００１１】
上述したＡＶシステムにおいて、テレビ、レコーダ及び音声アンプには、それぞれの機器に操作卓（リモートコントローラ、いわゆるリモコン）が備えられている。操作者は、操作したい機器の操作卓を操作することで、当該機器を制御することができる。
【００１２】
特許文献１に記載の映像音出力システム等においては、映像音出力装置（テレビ）のリモコンのみで、音の出力を映像音出力装置内部のスピーカと映像音出力装置外部のスピーカとの間で切り換えることができる。つまり、特許文献１に記載の映像音出力システム等においては、操作者は、テレビのリモコンで外部のスピーカを操作することができる。
【００１３】
ところで、上述したＡＶシステムにおいては、テレビが操作者が操作するテレビの操作卓から指示を取得し、音声アンプへ当該指示に対応した制御信号を送信することで音声アンプの制御を行っている。
【００１４】
ここで、例えば、レコーダが音楽を再生している場合に、テレビの電源をオフにしたときに、音声アンプから当該音楽の音声を出力させることができる。しかしながら、テレビの電源をオフにすると、テレビの操作卓では操作者は音声アンプの制御ができないといった問題がある。
【００１５】
以上の問題点を鑑み、発明者らは本開示を創作するに至った。
【００１６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、発明者らは、当業者が本開示を十分に理解するために添付図面及び以下の説明を提供するのであって、これらによって特許請求の範囲に記載の主題を限定することを意図するものではない。
【００１８】
（実施の形態１）
以下、図１〜図５を用いて、実施の形態１を説明する。
【００１９】
［１−１．構成］
図１は、本開示に係る映像音声出力装置１００を含むシステムの構成を示す図である。図１に示すように、映像音声出力装置１００は、テレビ２００及び音声アンプ３００と伝送路５００を介して通信可能に接続される。伝送路５００は、例えば、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）ケーブルである。映像音声出力装置１００、テレビ２００及び音声アンプ３００は、伝送路５００の一例であるＨＤＭＩ（登録商標）ケーブルを介して、相互にＣＥＣ（Ｃｏｎｓｕｍｅｒ  Ｅｌｅｃｔｒｏｎｉｃｓ  Ｃｏｎｔｒｏｌ）コマンドを通信することができる。
【００２０】
映像音声出力装置１００は、映像音声出力装置１００の内部に記憶された音楽やＢＤ（Ｂｌｕ−ｒａｙ（登録商標）  Ｄｉｓｋ）等の記憶媒体から読み取った映像又は音声などの情報を、テレビ２００に送信する再生機器である。例えば、映像音声出力装置１００は、レコーダである。なお、本明細書において、音声とは、人が発する声の音だけを意味するものではなく、楽器などの音響を含む音を意味する。
【００２１】
テレビ２００は、テレビ２００の内部に備えられるチューナ（不図示）で受信した番組の映像及び音声を出力したり、映像音声出力装置１００から受信した情報に応じて映像及び音声を出力したりする。また、テレビ２００は、外部接続される音声アンプ３００に音声に関する電気信号である音声信号（音響信号を含む音信号）を送信し、音声アンプ３００に当該音声信号に応じた音声（物理振動）を発せさせる。
【００２２】
音声アンプ３００は、テレビ２００から取得した音声信号を増幅する増幅器である。図１に示すシステムにおいては、操作者は、テレビ２００が備える内部スピーカから音声を出力するか、テレビ２００と接続された音声アンプ３００から音声を出力するかを選択することができる。また、テレビ２００がテレビ２００の音声を音声アンプ３００から出力する設定となっている場合、テレビ２００の操作卓（リモートコントローラ、いわゆるリモコン）を操作することにより、音声アンプ３００から出力される音声の音量を制御することができる。例えば、テレビ２００が発する音声の音量を変更したい場合に、操作者はテレビ２００の操作卓を操作して指示をテレビ２００に送信する。当該指示を取得したテレビ２００は、当該指示に応じて音量を調整する。具体的には、テレビ２００が備えるスピーカから音声を出力する指示を取得している場合、テレビ２００は、当該スピーカから出力される音声の音量を調整する。テレビ２００と接続された音声アンプ３００から音声を出力する設定となっている場合、テレビ２００は、当該指示に応じた制御信号を音声アンプ３００へ送信する。音声アンプ３００は、受信した当該制御信号に応じて音量を調整する。つまり、テレビ２００が、音声アンプ３００を制御する制御信号を音声アンプ３００へ送信する。
【００２３】
図２は、実施の形態１における映像音声出力装置１００の構成を示すブロック図である。つまり、図２は、映像音声出力装置１００の特徴的な機能構成を示すブロック図である。また、図２には、映像音声出力装置１００と接続されるテレビ２００及び音声アンプ３００の特徴的な機能構成も示す。
【００２４】
図２に示すように、映像音声出力装置１００は、通信部１０１と、制御部１０２と、受信部１０３と、再生部１０４と、記憶部１０５とを備える。
【００２５】
通信部１０１は、伝送路５００を介して音声アンプ３００が備える通信部３０１と通信可能に接続される通信インターフェースである。また、通信部１０１は、伝送路５００及び音声アンプ３００が備える通信部３０１を介して、テレビ２００が備える通信部２０１と通信可能に接続される。
【００２６】
なお、テレビ２００が備える通信部２０１及び音声アンプ３００が備える通信部３０１は通信インターフェースである。
【００２７】
受信部１０３は、操作者が操作する操作卓から指示を取得するデバイスである。操作卓から取得する操作者からの指示である信号が赤外線である場合、受信部１０３は当該赤外線を受信するためのＰＤ（Ｐｈｏｔｏ  Ｄｉｔｅｃｔｏｒ）である。
【００２８】
なお、テレビ２００が備える受信部２０３及び音声アンプ３００が備える受信部３０３は、操作者が操作する操作卓から指示を取得するデバイスである。
【００２９】
また、映像音声出力装置１００、テレビ２００及び音声アンプ３００には、それぞれに専用の操作卓があり、通常は専用の操作卓からの指示にのみ応答をする。例えば、テレビ２００の操作卓で映像音声出力装置１００に指示を送信した場合、映像音声出力装置１００は、当該指示を取得したとしても、当該指示に応じた処理は行わない。
【００３０】
記憶部１０５は、制御部１０２が実行する制御プログラムや、音楽又は番組等の情報を記憶するメモリである。記憶部１０５は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等で構成される。
【００３１】
再生部１０４は、記憶部１０５に記憶された音楽又は番組等の情報を再生する場合に、受信部１０３が取得した操作卓からの指示に応じて記憶部１０５から音楽又は番組等を取得し、通信部１０１を介してテレビ２００に映像及び音声を出力する処理部である。再生部１０４は、例えば、ＣＰＵ（Ｃｅｎｔｒａｌ  Ｐｒｏｃｅｓｓｉｎｇ  Ｕｎｉｔ）と記憶部１０５に記憶された制御プログラムとによって実現される。また、再生部１０４は、ＢＤ等の記憶媒体から映像及び音声の情報を読み取り、当該情報をテレビ２００に出力させる機能を有する。その場合、再生部１０４は、さらに記憶媒体から情報を読み取るための光源と当該光源から発せられる光を受信するＰＤとを備える。
【００３２】
制御部１０２は、受信部１０３で取得した指示に従って再生部１０４を動作させる処理部である。制御部１０２は、例えば、ＣＰＵと記憶部１０５に記憶された制御プログラムとによって実現される。
【００３３】
なお、テレビ２００が備える制御部２０２及び音声アンプ３００が備える制御部３０２は、ＣＰＵと、各機器が備えるＨＤＤ等の記憶部（不図示）に記憶された制御プログラムを実行する処理部である。
【００３４】
また、制御部１０２は、テレビ２００が操作者からの指示に応じて音声アンプ３００を制御する状態であるテレビ優先状態であるか否かを判定する。ここで、テレビ優先状態とは、テレビ２００は音声アンプ３００に制御信号を送信するが、映像音声出力装置１００は音声アンプ３００に制御信号を送信しない状態である。ここで、制御部１０２は、テレビ２００がテレビ優先状態ではない場合にのみ、音声アンプ３００に音声アンプ３００の制御を行うための制御信号を、通信部１０１を介して送信する。また、実施の形態１における映像音声出力装置１００においては、テレビ優先状態であるか否かは、テレビ２００の電源がオンかオフかで決定される。つまり、制御部１０２は、テレビ２００の電源がオフの場合に、テレビ２００はテレビ優先状態ではないと判断して制御信号を音声アンプ３００へ送信する。
【００３５】
また、制御部１０２は、受信部１０３が操作卓からの指示を取得した場合に、テレビ２００の電源がオンかオフかを判定する。制御部１０２は、テレビ２００の電源がオンの場合には、当該指示に応じた制御をせず、テレビ２００の電源がオフの場合にのみ、当該指示に応じた制御信号を生成して、当該制御信号を音声アンプ３００へ送信する。つまり、テレビ優先状態の場合には、テレビ２００が音声アンプ３００を制御する制御信号を音声アンプ３００へ送信する。また、テレビ２００の電源がオフの場合には、テレビ２００は音声アンプ３００へ当該制御信号を送信できないために、映像音声出力装置１００が当該制御信号を音声アンプ３００へ送信する。
【００３６】
こうすることで、テレビ２００の電源がオフの場合においても、テレビ２００の操作卓を操作するだけで、操作者は簡便に音声アンプ３００を制御することができる。なお、音声アンプ３００の制御とは、例えば、音声アンプ３００が出力する音声の音量の調整又は音声アンプ３００の電源のオンとオフとの切り替えである。
【００３７】
なお、テレビ２００が備える表示部２０６は、テレビ２００が備えるチューナ（不図示）で受信した番組の映像を表示したり、映像音声出力装置１００から受信した映像を表示したりするディスプレイである。
【００３８】
また、テレビ２００が備えるアンプ２０４及び音声アンプ３００が備えるアンプ３０４は、番組又は音楽などの音声信号の音量を増幅する増幅器である。
【００３９】
また、テレビ２００が備えるスピーカ２０５及び音声アンプ３００が備えるスピーカ３０５は、番組又は音楽などの電気信号である音声信号を物理振動である音声（音）に変換するスピーカである。なお、音声アンプ３００は、スピーカ３０５を備えていなくてもよい。
【００４０】
［１−２．動作］
以上のように構成された映像音声出力装置１００について、その動作を以下説明する。
【００４１】
映像音声出力装置１００は、操作者が操作する操作卓からの指示に応じて、テレビ２００の電源がオンかオフかのいずれの状態であるかの電源状態の判定動作と、テレビ２００の電源に応じた動作を行う。以下、それぞれの動作について詳細に説明する。
【００４２】
図３Ａは、実施の形態１におけるテレビ２００の電源がオンの場合の操作卓４００から送信される指示の流れの一例を示す図である。なお、図３Ａは、操作者が映像音声出力装置１００で記憶媒体から音楽を再生した場合を示す図である。また、音声は、音声アンプ３００から出力される設定であるとする。また、図３Ａに示す白抜きの矢印は、操作者からの指示（又は指示に応じた制御信号）の流れを示す。
【００４３】
図３Ａに示すように、操作者が映像音声出力装置１００で記憶媒体から音楽を再生した場合、表示部２０６には、映像音声出力装置１００が生成した表示画像２１０が表示される。つまり、テレビ２００の電源はオンの状態である。表示画像２１０は、制御部１０２が生成したＧＵＩ（Ｇｒａｐｈｉｃ  Ｕｓｅｒ  Ｉｎｔｅｒｆａｃｅ）である。操作者は、表示画像２１０上に表示されたアイコンを操作（具体的には、操作卓４００を操作）して、音楽の選択、音楽の再生又は音楽の停止等の操作を実行する。
【００４４】
操作卓４００は、テレビ２００の電源のオンオフの切り替え、テレビ２００又は音声アンプ３００から出力される音声の音量の調整等の指示を送信する信号送信装置である。
【００４５】
操作者は、操作卓４００が有する音量ボタン４０１を操作して、音声アンプ３００から出力されている音声の音量を制御する。言い換えると、操作卓４００は、操作者の操作に応じた指示を、映像音声出力装置１００及びテレビ２００へ送信する。映像音声出力装置１００及びテレビ２００は、当該指示を取得する。
【００４６】
ここで、映像音声出力装置１００は、操作卓４００からの指示を取得した場合に、テレビ２００の電源がオンかオフかをテレビ２００へ問い合わせる。例えば、映像音声出力装置１００は、テレビ２００の電源がオンかオフかを問い合わせる信号をテレビ２００へ送信する。テレビ２００からテレビ２００の電源がオンであることを示す信号を受信した場合には、映像音声出力装置１００は、音声アンプ３００へ操作卓４００からの指示に応じた制御信号を送信しない。つまり、テレビ２００が操作卓４００からの指示に応じた制御信号を音声アンプ３００へ送信する。
【００４７】
図３Ｂは、実施の形態１におけるテレビの電源がオフの場合の操作卓から送信される指示の流れの一例を示す図である。なお、図３Ｂは、図３Ａと同様に、操作者が映像音声出力装置１００で記憶媒体から音楽を再生した場合を示す図である。また、音声は、音声アンプ３００から出力される設定であるとする。また、図３Ｂに示す白抜きの矢印は、操作者からの指示（又は指示に応じた制御信号）の流れを示す。
【００４８】
図３Ｂに示すように、テレビ２００の表示部２０６は、映像が表示されていない非表示画像２１１である。つまり、図３Ｂは、テレビ２００の電源はオフの状態であり、且つ、音声アンプ３００から音声が出力されている状態である。操作者は、操作卓４００を操作して、音声アンプ３００から出力されている音声の音量を調整する。言い換えると、操作卓４００は、操作者の操作に応じた指示を映像音声出力装置１００及びテレビ２００へ送信する。映像音声出力装置１００は、当該指示を取得する。テレビ２００は、電源がオフであるために、当該指示を取得することができない。
【００４９】
ここで、映像音声出力装置１００は、操作者が操作する操作卓からの指示を取得した場合に、テレビ２００の電源がオンかオフかをテレビ２００へ問い合わせる。具体的には、制御部１０２は、テレビ２００の電源がオンかオフかを問い合わせる信号をテレビ２００へ送信する。テレビ２００の電源がオンであることを示す応答信号を受信しない場合には、制御部１０２は、音声アンプ３００へ操作者からの指示に応じた制御信号を送信する。つまり、テレビ２００の電源がオフであると判定した場合に、映像音声出力装置１００は、音声アンプ３００へ操作者からの指示に応じた制御信号を送信する。こうすることで、テレビ２００の電源がオフの場合においても、操作者は操作卓４００を操作することで、音声アンプ３００から出力されている音声の音量を調整することができる。
【００５０】
なお、テレビ２００の電源がオンかオフかの判定方法は特に限定されない。例えば、テレビ２００の電源がオンかオフかの判定方法は、制御部１０２がテレビ２００の電源がオンかオフかを問い合わせる信号を送信してからの時間で判定してもよい。例えば、制御部１０２がテレビ２００の電源状態を問い合わせる信号をテレビ２００へ送信した後で、一秒以内にテレビ２００から電源がオンであることを示す応答信号が送信されなかった場合に、制御部１０２はテレビ２００の電源がオフであると判定してもよい。
【００５１】
図４は、実施の形態１における映像音声出力装置１００が操作卓４００からの指示を取得した場合の動作手順を示すフローチャートである。なお、テレビ２００は、音声アンプ３００に音声を出力させているとする。
【００５２】
操作者は、操作卓４００を操作して、指示を送信する。受信部１０３は、当該指示を取得する（ステップＳ１０１）。
【００５３】
制御部１０２は、テレビ２００の電源がオンかオフかをテレビ２００に問い合わせる（ステップＳ１０２）。具体的には、制御部１０２は、受信部１０３が操作者からの指示を取得した場合に、テレビ２００の電源がオンかオフかを問い合わせる信号を、通信部１０１を介してテレビ２００へ送信する。
【００５４】
ここで、制御部１０２は、テレビ２００の電源がオンかオフかの判定を行う（ステップＳ１０３）。一具体的としては、制御部１０２がテレビ２００の電源がオンかオフかを問い合わせる信号をテレビ２００へ送信した後で、一秒以内にテレビ２００から当該信号に対する応答信号を受信するかどうかで判定する。
【００５５】
テレビ２００から応答信号を受信しなかった場合（ステップＳ１０３でＮｏ）には、制御部１０２は、操作者からの指示に応じた制御信号を音声アンプ３００へ送信する（ステップＳ１０４）。
【００５６】
テレビ２００から応答信号を受信した場合（ステップＳ１０３でＹｅｓ）には、音声アンプ３００へ当該制御信号を送信せずに動作を終了する。
【００５７】
図５は、実施の形態１における映像音声出力装置１００が操作卓４００からの指示を取得した場合の動作手順を示すシーケンス図である。なお、テレビ２００は、音声アンプ３００に音声を出力させているとする。図５の（ａ）は、テレビ２００の電源がオンの場合のシーケンス図である。なお、図４に示すフローチャートと実質的に同様の動作に関しては、同様の符号をつける。
【００５８】
図５の（ａ）に示すように、操作者は、操作卓４００を操作して、指示を送信する。受信部１０３は、当該指示を取得する（ステップＳ１０１）。また、テレビ２００が備える受信部２０３は、当該指示を取得する（ステップＳ１１１）。ここで、テレビ２００は、当該指示を取得した場合に、音声アンプ３００へ当該指示に応じた制御信号を送信する。音声アンプ３００は、テレビ２００から制御信号を受信し、当該制御信号に応じた制御を実行する（ステップＳ１１２）。
【００５９】
また、制御部１０２は、テレビ２００の電源がオンかオフかをテレビ２００に問い合わせる（ステップＳ１０２）。テレビ２００は、映像音声出力装置１００から問い合わせを受信した場合に、応答信号を映像音声出力装置１００へ送信する。映像音声出力装置１００は、テレビ２００からの応答信号を受信した場合には、音声アンプ３００へ操作者からの指示に応じた制御信号を送信せずに動作を終了する。
【００６０】
図５の（ｂ）は、テレビ２００の電源がオフの場合のシーケンス図である。なお、図４及び図５の（ａ）と実質的に同様の動作に関しては、同様の符号をつける。
【００６１】
図５の（ｂ）に示すように、操作者は、操作卓４００を操作して、指示を送信する。受信部１０３は、当該指示を取得する（ステップＳ１０１）。また、テレビ２００に対して操作者は操作卓４００を操作して指示を送信するが、テレビ２００は、電源がオフであるために、当該指示を取得できない（ステップＳ１１１）。
【００６２】
制御部１０２は、テレビ２００の電源がオンかオフかをテレビ２００に問い合わせる（ステップＳ１０２）。つまり、制御部１０２はテレビ２００の電源がオンかオフかの判定を行う。制御部１０２は、テレビ２００から応答信号を受信しなかった場合には、テレビ２００の電源はオフであると判定し、操作者からの指示に応じた制御信号を音声アンプ３００へ送信する（ステップＳ１０４）。音声アンプ３００は、映像音声出力装置１００から制御信号を受信し、当該制御信号に応じた制御を実行する（ステップＳ１１４）。
【００６３】
こうすることで、映像音声出力装置１００及びテレビ２００の双方から同じ指示に応じた制御信号が音声アンプ３００へ送信されることを抑止できる。そのため、操作者は、テレビ２００の電源がオフの場合においても、操作卓４００で音声アンプ３００の制御をすることができる。
【００６４】
なお、例えば図５においては、映像音声出力装置１００は、ステップＳ１０２においてテレビ２００にテレビ２００の電源状態の直接問い合わせをするとした。また、例えば図５の（ａ）においては、テレビ２００はテレビ２００の電源がオンであることを示す応答信号を直接映像音声出力装置１００へ送信するとした。しかしながら、上述した問い合わせ及び応答信号の伝送経路は、映像音声出力装置１００とテレビ２００とが直接接続された伝送経路に限らない。例えば、図２に示すように、映像音声出力装置１００とテレビ２００とが音声アンプ３００の通信部３０１と伝送路５００とを介して接続されている場合がある。この場合、例えば上述した映像音声出力装置が行う問い合わせは、音声アンプ３００の通信部３０１と伝送路５００とを介してテレビ２００に対して行われてもよい。また、例えばテレビ２００から出力される応答信号は、音声アンプ３００を介して映像音声出力装置１００へ送信されてもよい。
【００６５】
［１−３．効果等］
以上のように、本実施の形態において、映像音声出力装置１００は、テレビ２００及び音声アンプ３００と伝送路５００を介して通信可能に接続される映像音声出力装置である。映像音声出力装置１００は、伝送路５００と接続される通信部１０１と、音声アンプ３００を制御するための指示を操作者から取得する受信部１０３と、制御部１０２と、を備える。制御部１０２は、受信部１０３が当該指示を取得した場合に、テレビ２００が音声アンプ３００を制御する状態であるテレビ優先状態であるか否かを判定する。制御部１０２は、テレビ優先状態ではないと判定した場合に、当該指示に応じた制御信号を通信部１０１を介して音声アンプ３００へ送信する。つまり、映像音声出力装置１００は、テレビ２００の状態に応じて、音声アンプ３００の制御を行うことができる。
【００６６】
これにより、操作者は、テレビ２００の操作卓又は映像音声出力装置１００の操作卓４００を操作することで、音声アンプ３００の制御を行うことができる。そのため、操作者の利便性は向上される。
【００６７】
また、制御部１０２は、テレビ２００の電源がオンである場合には、テレビ２００がテレビ優先状態であると判定し、テレビ２００の電源がオフである場合には、テレビ２００がテレビ優先状態ではないと判定してもよい。
【００６８】
これにより、操作者は、複雑な操作をすることなく、テレビ２００の電源がオフの場合においても、テレビ２００の操作卓４００で音声アンプ３００を制御することができる。そのため、テレビ２００の電源がオフの場合においても、操作者は音声アンプ３００の操作卓に持ち替えて音声アンプ３００を操作する手間を省くことができる。
【００６９】
（実施の形態２）
以下、図６〜図９を用いて、実施の形態２を説明する。なお、実施の形態１と実質的に同一の構成に対しては同一の符号を付しており、重複する説明は省略又は簡略化する場合がある。
【００７０】
［２−１．構成］
実施の形態２における映像音声出力装置１００ａは、実施の形態１における映像音声出力装置１００と同様に、テレビ２００及び音声アンプ３００と伝送路５００を介して通信可能に接続される。
【００７１】
図６は、実施の形態２における映像音声出力装置１００ａの構成を示すブロック図である。つまり、図６は、映像音声出力装置１００ａの特徴的な機能構成を示すブロック図である。また、図６には、映像音声出力装置１００ａと接続されるテレビ２００及び音声アンプ３００の特徴的な機能構成も示す。
【００７２】
図６に示すように、映像音声出力装置１００ａは、通信部１０１と、制御部１０２ａと、受信部１０３と、再生部１０４と、記憶部１０５とを備える。
【００７３】
制御部１０２ａは、受信部１０３で取得した指示に従って再生部１０４を動作させる処理部である。制御部１０２ａは、例えば、ＣＰＵと記憶部１０５に記憶された制御プログラムとによって実現される。
【００７４】
実施の形態２において、制御部１０２ａは、さらに、テレビ２００の電源のオンとオフとを切り替える旨を示すＧＵＩを生成し、テレビ２００の表示部２０６に表示させる制御を行う。実施の形態２においては、制御部１０２ａは、操作者からの指示に従って、テレビ優先状態か否かの判定を切り替える。
【００７５】
また、制御部１０２ａは、受信部１０３がテレビ２００の電源をオフにする指示を操作者から取得した場合に、テレビ２００がテレビ優先状態ではないと判断する。つまり、受信部１０３がテレビ２００の電源をオフにする指示を操作者から取得した後で、制御部１０２ａは音声アンプ３００を制御する指示を操作者から取得したときには、制御部１０２ａは音声アンプ３００へ当該指示に応じた制御信号を送信する。つまり、制御部１０２ａは、テレビ２００の電源をオフにする指示を操作者から受信部１０３が取得した場合に、テレビ２００がテレビ優先状態ではないと判定し、操作者からの指示に応じて当該指示に応じた制御信号を送信するようになる。なお、制御信号は、音声アンプ３００の電源のオンとオフとの切り替え、及び、音声アンプ３００が出力する音声の音量の変更の少なくとも一方の指示を示す信号である。
【００７６】
また、制御部１０２ａは、テレビ２００がテレビ優先状態ではない場合には、操作者が指示を送信するために操作する操作卓４００ａ（図８参照）が備えるボタンの機能の割り当てを一時的に変更する。具体的には、制御部１０２ａは、テレビ２００の電源をオフにする指示を操作者から受信部１０３が取得した場合に、操作卓４００ａのボタンにおける、映像音声出力装置１００を制御するための指示を送信するためのボタンに対応した操作卓４００ａが送信する指示を、音声アンプ３００を制御するための指示として判定する。言い換えると、制御部１０２ａは、テレビ２００の電源をオフにする指示を操作者から受信部１０３が取得した場合に、操作者が指示を送信するために操作する操作卓が有するボタンであって、映像音声出力装置１００ａを制御するためのボタンが操作されたとき、当該ボタンに対応する指示に応じた制御信号を通信部１０１を介して音声アンプ３００へ送信する。なお、操作卓４００ａは映像音声出力装置１００を操作するための操作卓である。
【００７７】
ここで、映像音声出力装置１００を操作するための操作卓４００ａには、音量を変更するボタンがない場合がある。この場合に、制御部１０２ａは、テレビ２００の状態に応じて、例えば、選択指示を行うボタンを音量変更ボタンとしてみなすように処理の変更を行う。例えば、テレビ２００がテレビ優先状態ではない場合には、制御部１０２ａは、操作卓４００ａから取得する選択指示の信号を、音声アンプ３００が出力する音声の音量を変更する指示であるとみなすように内部処理を変更する。
【００７８】
つまり、実施の形態２における映像音声出力装置１００ａは、テレビ２００の状態に応じて、映像音声出力装置１００ａを操作するための操作卓４００ａで操作者が音声アンプ３００を操作できるようにする。
【００７９】
また、受信部１０３が、操作者が操作する操作卓４００ａからテレビの電源のオフにする指示を取得した場合に、制御部１０２ａはテレビ優先状態ではないことを示す画像（ＧＵＩ）を生成し、当該画像をテレビ２００に表示させる制御をする。
【００８０】
［２−２．動作］
以上のように構成された映像音声出力装置１００ａについて、その動作を以下説明する。
【００８１】
図７は、実施の形態２における操作者が操作卓の機能の割り当てを変更する際に表示される画像の一例を示す図である。図８は、実施の形態２における操作卓４００ａが有するボタンの割り当ての一例を示す図である。なお、音声は、音声アンプ３００から出力される設定であるとする。
【００８２】
例えば、受信部１０３が記憶部１０５に記憶されている音楽を再生する指示を操作者が操作する操作卓４００ａから取得したとする。その場合に、制御部１０２ａは、図７の（ａ）に示す第１ＧＵＩ（表示画像２１２）を生成し、テレビの表示部２０６に表示させるために、表示画像２１２の情報をテレビ２００へ送信する、テレビ２００は、当該情報が示す表示画像２１２を表示部２０６に表示する。
【００８３】
操作者は、表示画像２１２を確認しながら操作卓４００ａを操作して、所望の動作を選択して、映像音声出力装置１００に当該動作を実行させる指示を送信する。例えば、図８の（ａ）に示す選択ボタン４１０及び４２０を押すことで、制御部１０２ａは第１ＧＵＩ上の選択部分を変更するように動作する。
【００８４】
ここで、表示画像２１２には、テレビ２００の電源をオフにする選択部２２１が表示されている。操作者は表示画像２１２上に表示されたアイコンを操作して選択部２２１を選択する。その際に、制御部１０２ａは、図７の（ｂ）に示す第２ＧＵＩ（表示画像２１３）を生成して、表示画像２１３の情報をテレビ２００へ送信する。制御部１０２ａが図７の（ｂ）に示すＧＵＩ（表示画像２１３）の情報を受信したテレビ２００は、表示画像２１３をテレビ２００の表示部２０６に表示する。
【００８５】
この際に、制御部１０２ａは、テレビ２００がテレビ優先状態ではないと判定する。また、制御部１０２ａは、操作卓４００ａが備えるボタンの機能の割り当てを一時的に変更する。つまり、制御部１０２ａは、操作卓４００ａから取得する指示の判定を一時的に変更する。具体的には、制御部１０２ａは、選択ボタン４１０及び４２０を操作者が押した場合の指示を、音声アンプ３００が出力する音声の音量変更の指示であると判定する。図８の（ｂ）に示すように、操作者は、選択ボタン４１０ａ及び４２０ａを操作することで、音声アンプ３００から出力される音声の音量を制御することができるようになる。こうすることで、操作卓４００ａが、操作卓４００が有するような音量ボタン４０１を有しない場合においても、必要に応じて音声アンプ３００の音量を変更することができる。そのため、操作者は、音声アンプ３００が出力する音声の音量を変更したい場合に、映像音声出力装置１００を操作するための操作卓４００ａで、当該音量を調整することができる。
【００８６】
なお、テレビ２００が図７の（ｂ）に示す状態の場合は、テレビ２００の電源がオンであるために、テレビ２００の操作卓が有効である。つまり、操作者は、テレビ２００の操作卓の操作で、音声アンプ３００から出力させる音声の音量を変更できる。また、テレビ２００が図７の（ｂ）に示す状態の場合は、制御部１０２ａはテレビ２００がテレビ優先状態ではないと判定しているために、操作者は、操作卓４００ａを操作することによっても、音声アンプ３００が出力する音声の音量を調整できる。
【００８７】
次に、操作者は、操作卓４００ａの操作などにより、図７の（ｃ）に示すようにテレビ２００の電源をオフにする。例えば、操作卓４００ａが備える決定ボタン４３０がテレビ２００の電源のオフにする指示を発するボタンとして機能するように制御部１０２ａは判定するようにしてもよい。操作者が決定ボタン４３０を押して指示を受信部１０３へ送信することで、テレビ２００が映像を表示していない非表示画像２１４となる（テレビ２００の電源がオフになる）ように制御部１０２ａは制御する。この場合には、テレビ２００の電源がオフであるために、テレビ２００の操作卓で音声アンプ３００から出力される音声の音量を制御することができない。しかしながら、操作者は、上述したように操作卓４００ａのボタンの割り当てが変更されているために、操作卓４００ａを操作することで、音声アンプ３００の音量を調整することができる。
【００８８】
操作者がテレビ２００の電源をオンにした場合には、制御部１０２ａは、図７の（ｄ）に示す第３ＧＵＩ（表示画像２１５）を生成して、テレビ２００へ第３ＧＵＩの情報を送信する。テレビ２００は、当該情報に基づいて表示部２０６に表示画像２１５を表示する。この場合には、テレビ２００の電源はオンであり、且つ、制御部１０２ａはテレビ２００がテレビ優先状態ではないと判定しているために、操作者はテレビ２００の操作卓及び操作卓４００ａのいずれでも音声アンプ３００を操作できる。
【００８９】
また、操作者が操作卓４００ａを操作する（例えば操作卓４００ａが備える戻るボタン４４０を操作者が押す）ことで、テレビ２００は、図７の（ａ）に示す状態に戻る。つまり、テレビ２００は、表示画像２１２を表示部２０６に表示する。このときに、制御部１０２ａは、操作卓４００ａのボタンの機能の割り当てを元の状態に戻す。また、制御部１０２ａは、テレビ２００がテレビ優先状態であると判定する。つまり、制御部１０２ａは、操作者から音声アンプ３００を制御する指示を取得しても、当該指示に応じた制御を行わない状態に戻る。
【００９０】
図９は、実施の形態２における映像音声出力装置１００ａの、操作者が操作する操作卓４００ａから取得した指示に応じた動作手順を示すフローチャートである。
【００９１】
図９に示すように、例えば受信部１０３が記憶部１０５に記憶された音楽を再生する指示を操作者が操作する操作卓４００ａから取得した場合、制御部１０２ａは第１ＧＵＩ（表示画像２１２）を生成する。また、制御部１０２ａは、生成した第１ＧＵＩをテレビ２００の表示部２０６へ表示させる制御をする（ステップＳ２０１）。
【００９２】
ここで、操作者からテレビ２００の電源をオフにする指示を取得した場合（ステップＳ２０２でＹｅｓ）、制御部１０２ａは、図７の（ｂ）に示す第２ＧＵＩ（表示画像２１３）を生成する。制御部１０２ａは、生成した第２ＧＵＩをテレビ２００の表示部２０６に表示させる制御をする（ステップＳ２０３）。具体的には、操作者は、操作卓４００ａを操作して表示画像２１２上に表示された選択部２２１を選択することで、制御部１０２ａは、操作者からテレビ２００の電源をオフにする指示を取得したと判定する。
【００９３】
さらに、制御部１０２ａは、テレビ２００がテレビ優先状態ではないと判定する（ステップＳ２０４）。
【００９４】
また、制御部１０２ａは、操作卓４００ａの各ボタンに割り振られたボタンの機能の割り当ての設定を変更する。具体的には、制御部１０２ａは、操作卓４００ａが備える一部のボタンを、音声アンプ３００を制御するための指示とするように一時的に変更する（ステップＳ２０５）。例えば、制御部１０２ａは、図８の（ａ）に示す選択ボタン４１０及び４２０を、音声アンプ３００が出力する音声の音量を制御とするようにボタンの機能の割り当てを変更する。
【００９５】
次に、操作者が操作する操作卓４００ａから指示を取得した場合（ステップＳ２０６で制御）には、当該指示に応じた動作をするように音声アンプ３００へ当該指示に応じた制御信号を送信する（ステップＳ２０７）。例えば、制御信号は、音声アンプ３００が出力する音声の音量を制御するための指示に対応した信号である。また、制御信号は、音声アンプ３００の電源のオン及びオフを切り替える指示に対応した信号である。
【００９６】
また、テレビ２００の電源のオフにする指示を取得した場合（ステップＳ２０６でテレビの電源をオフ）には、制御部１０２ａは、テレビ２００の電源をオフにする信号をテレビ２００へ送信する（ステップＳ２０９）。なお、テレビ２００の電源をオフにする指示は、操作卓４００ａのテレビ２００の電源をオフにする指示に対応したボタンを操作者が操作することでテレビ２００の電源をオフにする指示としてもよい。
【００９７】
実施の形態２に係る映像音声出力装置１００ａにおいては、制御部１０２ａは、操作卓４００ａが備える決定ボタン４３０をテレビ２００の電源をオフにするボタン（指示）として判断する。つまり、制御部１０２ａは、テレビ２００がテレビ優先状態ではないと判定している場合には、決定ボタン４３０に応じた指示をテレビの電源をオフにする指示として判断する。
【００９８】
また、テレビ２００の電源のオンにする指示を取得した場合（ステップＳ２０６でテレビの電源をオン）には、制御部１０２ａは、第３ＧＵＩ（表示画像２１５）を生成し、第３ＧＵＩの情報をテレビ２００へ送信する（ステップＳ２０８）。テレビ２００は、当該情報を受信した場合には、表示画像２１５を表示部２０６に表示する。なお、操作者は、テレビ２００の操作卓が備える電源ボタンを操作することでテレビ２００の電源をオンにしてもよい。その場合、テレビ２００はテレビ２００の電源をオンにした際に、テレビ２００の電源をオンにしたことを示す信号を映像音声出力装置１００ａへ送信する。映像音声出力装置１００ａ（具体的には制御部１０２ａ）は、当該信号を受信した場合に、テレビ２００の電源のオンにする指示を取得したと判断してもよい。
【００９９】
受信部１０３が、操作者からテレビ２００の状態を元の状態に戻す指示を取得した場合（ステップＳ２０６で終了）には、制御部１０２ａは、テレビ２００がテレビ優先状態であると判定する（ステップＳ２１０）。例えば、戻るボタン４４０を操作者が選択することで、制御部１０２ａは、受信部１０３が、操作者からテレビ２００の状態を元の状態に戻す指示を取得したと判定する。
【０１００】
また、制御部１０２ａは、操作卓４００ａのボタンの機能の割り当てを元の状態へ戻す（ステップＳ２１１）。具体的には、制御部１０２ａは、音声アンプ３００が出力する音声の音量を制御できるように一時的に割り当てを変更した選択ボタン４１０ａ及び４２０ａを、ＧＵＩ上に表示されたアイコンの選択位置を変更するための機能を有する状態に戻す。
【０１０１】
また、制御部１０２ａは、図７の（ａ）に示す第１ＧＵＩ（表示画像２１２）を生成して、第１ＧＵＩの情報をテレビ２００へ送信する（ステップＳ２１１）。
【０１０２】
こうすることで、テレビ２００の電源がオフの状態においても、映像音声出力装置１００ａの操作卓４００ａを利用することで、音声アンプ３００を制御することができる。
【０１０３】
［２−３．効果等］
以上のように、実施の形態２において、制御部１０２ａは、制御部１０２ａは、テレビ２００の電源をオフにする指示を操作者から受信部１０３が取得した場合に、テレビ２００がテレビ優先状態ではないと判定する。つまり、制御部１０２ａは、操作者の指示に応じて、テレビ２００の状態がテレビ優先状態であるか否かの判定を変更する。
【０１０４】
これにより、テレビ２００の電源がオフの場合においても、操作者は、映像音声出力装置１００の操作卓４００ａを操作することにより、音声アンプ３００を制御することができる。そのため、操作者は音声アンプ３００の操作卓に持ち替える手間を省くことができる。
【０１０５】
また、制御部１０２ａは、テレビ２００の電源をオフにする指示を操作者から受信部１０３が取得した場合に、テレビ２００がテレビ優先状態ではないことを示す画像を生成し、当該画像をテレビ２００に表示させる制御をしてもよい。
【０１０６】
これにより、操作者は、制御部１０２ａがテレビ２００をテレビ優先状態と判断しているか、テレビ優先状態ではないと判定しているかを確認しやすい。そのため、操作者は、音声アンプ３００を操作卓４００ａで操作できるかどうかを簡便に確認できる。
【０１０７】
また、制御部１０２ａは、テレビ２００の電源をオフにする指示を操作者から受信部１０３が取得した場合に、操作者が指示を送信するために操作する操作卓４００ａが有するボタンであって、映像音声出力装置１００ａを制御するためのボタンが操作されたとき、当該ボタンに対応する指示に応じた制御信号を通信部１０１を介して音声アンプ３００へ送信してもよい。
【０１０８】
これにより、操作者は、映像音声出力装置１００の操作卓４００ａが音声の音量を変更するボタンを備えていない場合においても、操作卓４００ａで音声アンプ３００が出力する音声の音量を変更することができる。そのため、操作者は、音声アンプ３００の制御をする際に、音声アンプ３００の操作卓等に持ち替える手間を省くことができる。
【０１０９】
また、上述した制御信号は、音声アンプ３００の電源のオンとオフとの切り替え、及び、音声アンプ３００が出力する音声の音量の変更の少なくとも一方の指示に応じた制御信号でもよい。
【０１１０】
これにより、操作者は、テレビ２００の操作卓又は映像音声出力装置１００の操作卓４００ａを操作することで、音声アンプ３００が出力する音声の音量を調整したり音声アンプ３００の電源のオンとオフとの切り替えをしたりすることができる。そのため、操作者は、音声アンプ３００の操作をする際に、音声アンプ３００の操作卓に持ち替える手間を省くことができる。
【０１１１】
（他の実施の形態）
以上のように、本出願において開示する技術の例示として、実施の形態１及び実施の形態２を説明した。しかしながら、本開示における技術は、これに限定されず、適宜、変更、置き換え、付加、省略などを行った実施の形態にも適用可能である。また、上記実施の形態１及び実施の形態２で説明した各構成要素を組み合わせて、新たな実施の形態とすることも可能である。
【０１１２】
そこで、以下、他の実施の形態を例示する。
【０１１３】
上記実施の形態１及び実施の形態２では、映像音声出力装置の制御部は、プロセッサがプログラムを実行することによってソフトウェア的に実現されたが、このような実現方法に限定されない。制御部は、ゲートアレイ等を用いた専用の電子回路によってハードウェア的に実現されてもよい。
【０１１４】
また、実施の形態１及び実施の形態２では、再生部１０４によって再生された情報について音声アンプ３００が備えるスピーカ３０５から音声を出力すると説明した。映像音声出力装置とネットワークで接続された再生機器、例えば、スマートフォン等で再生された情報がネットワーク経由で通信部を介して音声アンプ３００へ送信されてもよい。
【０１１５】
また、映像音声出力装置がアンテナ及びチューナを備え、当該アンテナで受信した地上波の番組、インターネットの放送番組、ケーブルテレビの番組、ラジオ番組等の音声が、各機器の通信部を介して音声アンプ３００から出力されてもよい。
【０１１６】
また、実施の形態１及び実施の形態２では、伝送路５００は、例えば、ＨＤＭＩ（登録商標）ケーブルであるとしたが、限定されない。映像音声出力装置、テレビ及び音声アンプの通信接続手段は、例えば、無線通信手段を利用してもよい。
【０１１７】
また、実施の形態１及び実施の形態２では、例えば図２又は図６のように、テレビ２００と映像音声出力装置１００又は１００ａとは音声アンプ３００の通信部３０１及び伝送路５００を介して通信可能に接続されるとした。しかしながら、テレビ２００と映像音声出力装置との接続方法はこれに限定されない。例えば、テレビ２００と映像音声出力装置とが物理的に且つ通信可能に直接接続されてもよい。具体的には、テレビ２００の通信部２０１と映像音声出力装置の通信部とが伝送路を介して通信可能に物理的に直接接続されていてもよい。この場合、例えば映像音声出力装置の通信部から出力される制御信号は、伝送路５００を介して直接（具体的には、音声アンプ３００の通信部３０１を介さずに）テレビ２００の通信部２０１に送信されてもよい。
【０１１８】
また、本開示は、映像音声出力装置が実行するステップをコンピュータに実行させるプログラムとして実現されてもよい。また、本開示は、そのプログラムを記録したコンピュータによって読み取り可能なＣＤ−ＲＯＭなどの記録媒体として実現されてもよい。また、本開示は、そのプログラムを示す情報、データ又は信号として実現されてもよい。そして、それらプログラム、情報、データ及び信号は、インターネット等の通信ネットワークを介して配信されてもよい。
【０１１９】
以上のように、本開示における技術の例示として、実施の形態を説明した。そのために、添付図面及び詳細な説明を提供した。
【０１２０】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２１】
また、上述の実施の形態は、本開示における技術を例示するためのものであるから、特許請求の範囲又はその均等の範囲において種々の変更、置き換え、付加、省略などを行うことができる。
【産業上の利用可能性】
【０１２２】
本開示は、テレビ及び音声アンプと伝送路を介して通信可能に接続される映像音声出力装置であって、テレビの状態に応じて音声アンプを制御する映像音声出力装置に適用可能である。具体的には、記憶媒体に含まれる情報を再生できるレコーダなどに、本開示は適用可能である。
【符号の説明】
【０１２３】
１００、１００ａ  映像音声出力装置
１０１、２０１、３０１  通信部
１０２、１０２ａ、２０２、３０２  制御部
１０３、２０３、３０３  受信部
１０４  再生部
１０５  記憶部
２００  テレビ
２０４、３０４  アンプ
２０５、３０５  スピーカ
２０６  表示部
２１０、２１２、２１３、２１５  表示画像
２１１、２１４  非表示画像
２２１  選択部
３００  音声アンプ
４００、４００ａ  操作卓
４０１  音量ボタン
４１０、４１０ａ、４２０、４２０ａ  選択ボタン
４３０  決定ボタン
４４０  戻るボタン
５００  伝送路
【図１】
2018056727.tif 000003
【図２】
2018056727.tif 000004
【図３Ａ】
2018056727.tif 000005
【図３Ｂ】
2018056727.tif 000006
【図４】
2018056727.tif 000007
【図５】
2018056727.tif 000008
【図６】
2018056727.tif 000009
【図７】
2018056727.tif 000010
【図８】
2018056727.tif 000011
【図９】
2018056727.tif 000012